【事件の表示】
　平成１０年特許願第　　５６４５号「電気掃除機」拒絶査定不服審判事件〔平成１１年　７月２７日出願公開、特開平１１−１９７０７５〕について、次のとおり審決する。
【結　論】
　本件審判の請求は、成り立たない。
【理　由】
第１　手続きの経緯 
　本件に係る出願（以下、「本願」という。）は、平成１０年１月１４日の出願であって、平成１８年１月１３日付けで拒絶査定（発送日：同年同月１７日）がなされたところ、平成１８年２月１６日に拒絶査定不服審判が請求され、同年３月１４日付けで手続補正がなされたものである。
　　　　　　　 
第２　平成１８年３月１４日付けの手続補正についての補正却下の決定
［補正却下の決定の結論］
　平成１８年３月１４日付けの手続補正を却下する。
　　
［理　由］
１．補正後の請求項２に記載された発明　　
　平成１８年３月１４日付けの手続補正（以下、「本件補正」という。）により、特許請求の範囲の請求項２は、次のとおり補正された。
　　
　「吸込力を発生させるファンモータと、前記吸込力を設定する吸込力設定部と、前記吸込力設定部の設定に応じて前記ファンモータへの通電量を制御する位相制御部と、前記吸込力設定部に並列に接続され前記ファンモータへの通電量を絞り込む位相カット設定部と、前記ファンモータに流れる電流を検出する電流検出部と、リレーコイルとリレー接点を有するリレー部とを備え、前記リレーコイルを電流検出部の出力側に接続して、そのリレー接点のＮＯ接点を位相カット設定部に、ＮＣ接点を吸込入力接点部に接続することにより、集塵室内に塵埃が少ない高風量時にはリレー接点はＮＯ接点に接続されて位相カット設定部により低電力・低吸込力とし、集塵室内に塵埃が多い低風量時には前記リレー接点はＮＣ接点に接続されて吸込力設定部が高電力・高吸込力となるように構成し、リレーコイルの感動電圧と開放電圧の電圧差を利用して、高風量から低風量へ移行する場合の風量と低風量から高風量に移行する場合の風量にヒステリシスを持たせたことを特徴とする電気掃除機。」
　　
　本件補正は、補正前の請求項２に記載した発明を特定するために必要な事項であるリレーにおいて、その作動電圧について、
「・・・構成した電気掃除機。」を
「・・・構成し、リレーコイルの感動電圧と開放電圧の電圧差を利用して、高風量から低風量へ移行する場合の風量と低風量から高風量に移行する場合の風量にヒステリシスを持たせたことを特徴とする電気掃除機。」と
限定するものであるから、特許請求の範囲の減縮を目的とするものであり、また、当該事項は、本願の願書に最初に添付した明細書又は図面（以下、「当初明細書」という。）の第【００２０】段落に記載された実施例１の事項に基づくものであり、実施例１のリレーも実施例２のリレーも同様の作用があるものと認められるので、実施例２について記載した請求項２についての補正は、当初明細書に記載された事項の範囲内においてなされたものである。
　　
　そこで、本件補正後の請求項２に記載された発明（以下、「本件補正発明」という。）が、特許出願の際に独立して特許を受けることができるものであるか否か、即ち、平成１８年改正前特許法第１７条の２第５項において準用する特許法第１２６条第５項の規定に適合するか否か、について検討する。
　　　　　　　 
２．引用例に記載された事項
　原査定の拒絶の理由に引用された特開平８−５１８号公報（以下、「引用例１」という。）及び特開平１−１０４２２８号公報（以下、「引用例２」という。）には、それぞれ以下の事項が図面と共に記載されている。
　
（１）　引用例１について
１ａ．　「【産業上の利用分野】本発明は、電気掃除機の吸込力制御に関するものであり、特に近年の高吸込力化に関するものである。」（第【０００１】段落）
　　
１ｂ．　「また破線１で囲んだ部分は本体１０１内に、制御手段２の破線で囲んだ部分は手元操作部１０３の内部に各々配置することにより、使用者は掃除機の吸込力を手元操作部１０３で設定することができる。」（第【０００６】段落）　
　　
１ｃ．　「本発明は、以上のような問題点及び課題を解決するもので、集塵室内にごみが増えた場合等吸込力が低下しそうになるときにおいてもモーターに流れる電流減少を検出することによって、吸込力を高めるようにモーターを制御して快適に掃除ができ、電流の増加を検出してモーターへの電力供給を減らし、モーターの加熱防止及びモーターのブラシの耐久性を確保することを目的としている。」（第【０００８】段落）
　　
１ｄ．　「【実施例】本発明の第１の実施例について図１〜図４を参照しながら説明する。
　図１のように、モーター４は双方向性サイリスタ５とモーター４に流れる電流を検出する電流検出手段７とともに商用交流電源３に接続され、位相制御手段１０の信号により消費電力が制御される。電源部６は電気掃除機の各部に電力を供給する（経路は図示せず）。
　信号処理手段８は電流検出手段７の出力信号を処理し、位相制御手段１０に向けて出力し、位相制御手段１０は信号処理手段８の出力値が所定の値になるよう位相制御量を決定する。」（第【００１６】段落〜第【００１８】段落）
　　
１ｅ．　「以上の特性から、風量が減少するとモーターの負荷電流すなわちモーターの消費電力が減る、モーターの消費電力が減ると信号処理手段８の出力電圧値が下がる、信号処理手段８の出力値は前記したように負荷電流のピーク値の影響を受けるため、位相制御手段１０が信号処理手段８の出力値が所定の値になるようモーター４への位相制御量を減らした場合、モーターへの供給電力は風量減少前に比べてより大きくなる。この風量対消費電力の関係は図５のようになる。図５において破線部分は、本実施例による制御を行わない場合の特性を示している、同図Ｄ点は吸い込み口開放時、同図Ｄ〜Ｃは本実施例による消費電力制御の様子を示しており、風量の減少に伴って消費電力をリニアに増加している。同図Ｃ付近（位相制御量０付近）は電流検出手段７の出力のピーク値は小さいが、同図Ｄ付近（掃除機の最大風量）では双方向性サイリスタ５がＯＮする時の電源電圧が高いため、電流検出手段７の出力は大きなピーク値をもち信号処理手段８の出力値は最大となっている。
　以上のように構成することで、集塵室内にごみが増えて風量が減るとモーターへの供給電力を高めて吸込力を高め、風量が増加した場合、即ち吸い込み口開放時は供給電力を抑えることができる。」（第【００２２】段落、第【００２３】段落）
　　
１ｆ．　「つぎに第２の実施例について図６〜図８を用いて説明する。以下、第１の実施例と同一部分については同一符号を用いてその説明を省略する。
　本実施例の構成は図６のように、商用交流電源３と、モーター４と、双方向性サイリスタ５及び電流検出手段７を有し、これら部品は第１の実施例と同様である。電流検出手段７の出力は信号処理手段３０に入力され、整流、平滑等所定の処理または演算処理をした後その出力は位相制御手段３１に入力される。操作部３２は使用者により、運転モードの選択、及び運転の起動や停止を選択され、その結果を位相制御手段３１に出力する構成としている。
　これらの構成により、本実施例の電気掃除機は図７に示すような特性の動作をする。図８において破線部Ｇ〜Ｊｅは、本実施例による制御を行わない場合の特性を示し、またＨｅ〜Ｊｅ及びＨｆ〜Ｊｆはそれぞれ運転モードＥ（ハイパワー運転モード）及び運転モードＦ（標準運転モード）の制御特性を示している。
　まず操作部３２にて、運転モードＥ（ハイパワー運転モード）が選択されたとする。本運転モードＥは、集塵室内のごみが空で、吸い込み口が空中にあるとき、すなわち空力的な圧損が小さい場合は、図７（ａ）に示されるように、モーター４には位相角Ｅ１で位相制御された電力が供給される。
　この時モーター４に流れる電流をＩＥ１としたとき、集塵室内にごみが増えてくると空力的な圧損が大きくなり、モーター４に流れる電流が減り、ＩＥ１ａになると信号処理手段３０の出力値はそれぞれＩＥ１に対応した値からＩＥ１ａに対応した値に変化するため、位相制御手段３１は出力を位相角Ｅ１を更新して、位相角Ｅ２とする。このとき、Ｅ２＝Ｅ１−ｅであり、ｅは電流ＩＥ１とＩＥ１ａの差に対応する位相制御量の値である。さらに空力的圧損が増えれば上記と同様に位相角はさらに小さくなり、最終的には位相カット量０の全導通状態にすることができる。
　また、操作部３２で選択された運転モードがＦであったとしたときも前記運転モードＥと同様に制御して良く、前記位相角Ｅ１をＦ１として位相角を変化させればよく、空力的圧損が最大となった場合の最終的な位相角の最小値を規制すれば、その最小値における消費電力は図８のＪＦで示す点になり、それぞれの運転モードの特徴を差別化できる。」（第【００２５】段落〜第【００３０】段落）
　　
（２）　引用例２について
２ａ．　「本発明は上記従来の問題点を解決するもので、操作性が増し、静かに掃除することのできる電気掃除機を提供することを目的とするものである。」（第２頁左下欄第１７行〜第１９行）
　　
２ｂ．　「問題点を解決するための手段
　上記問題点を解決するために本発明の電気掃除機は、手元操作部で回転数が連続可変される送風電動機と吸込み口あるいは吸込み口から集塵装置までの間に設けた塵センサ部と、前記塵センサ部で塵を検出しないときには手元操作部の回転数制御にかかわらず前記送風電動機を常に一定回転とし、塵を検出したときには手元操作部で設定した回転数まで送風電動機の回転数を増加させるように切換制御する制御手段とを備えたものである。
作用
　上記構成により、塵センサ部を通過する塵がなければ、手元操作部における設定とは無関係に、送風電動機は一定回転数で回転し、また、吸引された塵を塵センサ部が検出すると、制御手段により切換制御され、手元操作部で設定された回転数で送風電動機は回転するので、塵の少ない所では一定の低速回転で静かに掃除することができ、塵の多い所では、その掃除対象に応じた高速回転で力強く掃除できる。しかも、最小回転数のカーテンの場合で、塵を検知し、掃除対象に応じた回転になったとしても、従来のような大巾なレベルアップはなく、急激な音量変化を伴うことはないので、急に大きくなった音で驚かされることもない。」（第２頁左下欄第２０行〜第３頁左上欄第３行）
　　
２ｃ．　「実施例
　以下、本発明の一実施例について図面を参照しながら説明する。なお、従来例と同一の作用効果を奏するものには同一の符号を付してその説明を省略する。
　第１図は本発明の一実施例を示す電気掃除機の回路図である。第１図において、抵抗２１の一端は位相制御回路３に接続された可変抵抗器１の一端に接続され、他端は制御手段としての電磁リレー２２の接点ａに接続され、接点ｂは可変抵抗器１のスライダーに接続され、共通接点である接点ｃは位相制御回路３に接続されている。
　以下、その動作を説明する。第１図において、可変抵抗器１を操作して送風電動機２の回転を制御する。このとき、吸引されて塵センサ部１７を通過する塵がなければ、電磁リレー２２の接点ｃはａに接続されて抵抗２１の側に接続されており、手元操作部１４の可変抵抗器１の値と無関係に、送風電動機２は抵抗２１で設定された回転数で一定回転する。
　次に、塵センサ部１７が塵を検出すると、塵センサ回路７の出力により電磁リレー２２の接点ｃはｂに切り替わって可変抵抗器１スライダー側に接続され、手元操作部１４の可変抵抗器１で設定された送風電動機２の回転数で回転する。すなわち、可変抵抗器１のつまみが、第５図に示すように、掃除対象であるカーテン、ソファー、たたみ、じゅうたんという位置にあると、それぞれの位置に対応した送風電動機の回転となる。
　その結果、第２図（Ａ）に示すように塵センサ部１７が塵を検出しないときには、抵抗２１で設定される一定の低速回転で送風電動機２が回転する。
一方、塵を検出すると、手元操作部１４で設定された掃除対象に応じた適正な回転数にすることができる。なお、第２図（Ａ）に示す送風電動機２の動作特性は可変抵抗器１と抵抗２１との抵抗値の割合で比較的自由に設計することができる。」（第３頁左上欄第４行〜右上欄第２０行）
　
３．引用例に記載された発明
（１）　引用例１に記載された発明
　記載事項１ｃ〜１ｆ及び技術常識からみて、操作部３２はモータ４の吸込力を設定し、位相制御手段３１は前記操作部３２の設定に応じて前記モーター４への通電量を制御する。
　したがって、記載事項１ａ〜１ｇから、引用例１には次の発明（以下、「引用例１の発明」という。）が記載されている。
　　
　吸込力を発生させるモーター４と、前記吸込力を設定する操作部３２と、前記操作部３２の設定に応じて前記モーター４への通電量を制御する位相制御手段３１と、前記モーター４に流れる電流を検出する電流検出手段７と、前記電流検出手段７の出力信号を処理して位相制御手段３１に向けて出力する信号処理手段３０と、を備え、前記相制御手段３１は信号処理手段３０の出力が所定値になるように位相制御することにより、集塵室内に塵埃が少ない高風量時には低電力・低吸込力とし、集塵室内に塵埃が多い低風量時には高電力・高吸込力となるようにした電気掃除機。
　
（２）　引用例２に記載された発明
　ところで、記載事項２ａ〜２ｃから、引用例２には次の発明（以下「引用例２の発明」という。）が記載されている。
　　
　吸込力を発生させる送風電動機２と、前記吸込力を設定する手元操作部１４と、前記手元操作部１４の設定に応じて前記送風電動機２への通電量を制御する位相制御回路３と、前記手元操作部１４に並列に接続され前記送風電動機２への通電量を絞り込む抵抗２１と、吸込み口あるいは吸込み口から集塵装置までの間に設けた塵センサ部１７と、リレーコイルとリレー接点を有する電磁リレー２２とを備えた電気掃除機において、前記リレーコイルを塵センサ部１７の出力側に接続して、そのリレー接点の接点ａを抵抗２１に、接点ｂを手元操作部の可変抵抗器１のスライダー側に接続することにより、塵センサ部１７を通過する塵がなければ、電磁リレー２２の接点ｃは抵抗２１の側の接点ａに接続され、送風電動機２は抵抗２１で設定された回転数で一定回転し、塵センサ部１７が塵を検出すると、塵センサ回路７の出力により電磁リレー２２の接点ｃは可変抵抗器１のスライダー側の接点ｂに接続され、送風電動機２は、手元操作部１４の可変抵抗器１で設定された回転数で回転し、塵を検出しないときに送風電動機が抵抗２１で設定された回転数は、塵を検出したときに送風電動機が可変抵抗器１で設定された回転数よりも少なく設定した電気掃除機。
　
４．対比、一致点・相違点
　本件補正発明と引用例１の発明とを対比すると、引用例１の発明の「モーター４」は、本件補正発明の「ファンモータ」に相当し、以下同様に、「操作部３２」は「吸込力設定部」に、「位相制御手段３１」は「位相制御部」に、「電流検出手段７」は「電流検出部」に、それぞれ相当する。
　
　したがって、両発明は次の一致点と相違点を有する。　
　
［一致点］　　
　吸込力を発生させるファンモータと、前記吸込力を設定する吸込力設定部と、前記吸込力設定部の設定に応じて前記ファンモータへの通電量を制御する位相制御部と、前記ファンモータに流れる電流を検出する電流検出部と、を備え、集塵室内に塵埃が少ない高風量時には低電力・低吸込力とし、集塵室内に塵埃が多い低風量時には吸込力設定部が高電力・高吸込力となるように構成した電気掃除機。
　　
［相違点１］
　本件補正発明では、吸込力設定部に並列に接続され前記ファンモータへの通電量を絞り込む位相カット設定部と、リレーコイルとリレー接点を有するリレー部とを備え、前記リレーコイルを電流検出部の出力側に接続して、そのリレー接点のＮＯ接点を位相カット設定部に、ＮＣ接点を吸込入力接点部に接続することにより、集塵室内に塵埃が少ない高風量時にはリレー接点はＮＯ接点に接続されて位相カット設定部により低電力・低吸込力とし、集塵室内に塵埃が多い低風量時には前記リレー接点はＮＣ接点に接続されて吸込力設定部が高電力・高吸込力となるように構成したのに対して、
引用例１の発明では、集塵室内に塵埃が少ない高風量時には低電力・低吸込力とし、集塵室内に塵埃が多い低風量時には吸込力設定部が高電力・高吸込力となるように構成した点。
　
［相違点２］
　本件補正発明では、リレーコイルの感動電圧と開放電圧の電圧差を利用して、高風量から低風量へ移行する場合の風量と低風量から高風量に移行する場合の風量にヒステリシスを持たせたのに対して、
引用例１の発明では、かかる構成が不明である点。
　
５．相違点についての検討
［相違点１について］
　先ず、両発明は、集塵室内に塵埃が少ない高風量時には低電力・低吸込力とし、集塵室内に塵埃が多い低風量時には吸込力設定部が高電力・高吸込力となるように構成した点、及びこの点を達成するために、電流検出部の出力信号を所定部で所定処理して位相制御手段に入力することでは共通するが、所定部での所定処理する構成が、本件補正発明では、相違点１において構成が限定されているのに対して、引用例１の発明では、かかる構成が不明である。
　　
　引用例２の発明の「送風電動機２」は、本件補正発明の「ファンモータ」に相当し、以下同様に「位相制御回路３」は「位相制御部」に、「電磁リレー２２」は「リレー部」にそれぞれ相当する。
　
　そして、引用例２の発明の「抵抗２１」は、塵の検出されないときのファンモータの回転数を、塵が検出されたときのファンモータの回転数より少なく設定するために、位相制御部回路に接続された抵抗であるから、本件補正発明のファンモータに供給する電力を低電力・低吸込力となるように構成した「位相カット設定部５に設けた抵抗」に相当し、引用例２に記載された「手元操作部１４」は、塵のあるときに手元操作部で設定した使用状況に合わせた高回転数とする部分であるから、本件補正発明のファンモータに供給する電力を高電力・高吸込力となるように構成した「吸込力設定部」に相当し、また、「手元操作部１４の可変抵抗器１」は、塵のあるときに手元操作部で設定した使用状況に合わせた高回転数とする抵抗であるから、本件補正発明のファンモータに供給する電力を高電力・高吸込力となるように構成した「吸込力設定部に設けたスライド抵抗」に相当する。
　
　さらに、本件補正発明の「吸込入力接点部」は、出願当初の明細書において、発明の詳細な説明に記載されていない用語であり、「吸込入力設定部」の誤記か、「吸込入力設定部のスライド抵抗の接点部」を省略して記載したものと解されるが、いずれか不明なので、「吸込入力接点部」をそのまま引用するが、引用例２の発明の「手元操作部１４」または「手元操作部１４の可変抵抗器１のスライダー側」は、その作用から、本件補正発明の「吸込入力接点部」に相当する。
　
　そうすると、引用例２には、
吸込力を発生させるファンモータ（送風電動機２）と、前記吸込力を設定する吸込力設定部（手元操作部１４）と、前記吸込力設定部（手元操作部１４）の設定に応じて前記ファンモータ（送風電動機２）への通電量を制御する位相制御部（位相制御回路３）と、前記吸込力設定部（手元操作部１４）に並列に接続され前記ファンモータ（送風電動機２）への通電量を絞り込む位相カット設定部（抵抗２１）と、吸込み口あるいは吸込み口から集塵装置までの間に設けた塵センサ部１７と、リレーコイルとリレー接点を有するリレー部（電磁リレー２２）とを備えた電気掃除機において、
前記リレーコイルを塵センサ部１７の出力側に接続して、
そのリレー接点の接点ａを位相カット設定部（抵抗２１）に、接点ｂを吸込入力接点部（手元操作部の可変抵抗器１のスライダー側）に接続することにより、塵センサ部１７を通過する塵がなければ、リレー部（電磁リレー２２）の接点ｃは位相カット設定部（抵抗２１）の側の接点ａに接続され、ファンモータ（送風電動機２）は、位相カット設定部（抵抗２１）で設定された低電力・低吸込力の回転数で一定回転し、塵センサ部１７が塵を検出すると、塵センサ回路７の出力によりリレー部（電磁リレー２２）の接点ｃは吸込入力接点部（手元操作部１４の可変抵抗器１のスライダー側）の接点ｂに接続され、ファンモータ（送風電動機２）は、吸込入力設定部（手元操作部１４）で設定された高電力・高吸込力の回転数で回転するように構成した電気掃除機
の発明が記載されている。（）内は、引用例２の発明において対応するものである。
　
　したがって、引用例１の発明において、集塵室内に塵埃が少ない高風量時には低電力・低吸込力とし、集塵室内に塵埃が多い低風量時には吸込力設定部が高電力・高吸込力となるように構成するための前記所定部での所定処理する構成として、引用例２の発明の検出部（塵センサ部１７）の出力信号をリレー部（電磁リレー２２）のリレーコイルに出力して、位相制御回路に、位相カット設定部（抵抗２１）と吸込入力設定部（手元操作部）の抵抗の一端側を並列接続し、塵の検出の有無に応じて、抵抗の他端側を選択的に切換接続し、ファンモータを低電力・低吸込力または高電力・高吸込力に制御する発明を適用して、相違点１における本件補正発明の構成を採ることは当業者が容易に想到し得たというべきである。
　
［相違点２について］
　電磁リレーにおいてリレーの感動電圧と開放電圧とに差がありヒステリシスが生じることは従来よく知られており（例えば特開平２−１３２８９号公報、特開昭６２−６０４８３号公報、実願平３−８４６７２号（実開平５−３６５４５号）のＣＤ−ＲＯＭ等参照）、さらにリレーのヒステリシスを利用してチャタリングを防止することも従来周知の技術（例えば特開平７−１５８８９号公報、特開平６−７０４８４号公報、特開平７−１４７７３８号公報等参照）であるから、相違点２における本件補正発明の構成は、引用例１の発明に、接点の切替手段として、引用例２の発明にも適用されている従来周知の電磁リレーを適用し、リレーの駆動電圧を設定する際に、従来周知の電磁リレーの感動電圧と開放電圧のヒステリシスを利用してチャタリングを防止する技術を適用することにより当業者が容易に想到できたというべきである。　
　　
［作用効果について］
　そして、本件補正発明の奏する作用効果をみても、引用例１、２の発明と周知技術から当業者が予測できる範囲内のものである。 
　　
　よって、本件補正発明は、引用例１の発明に、引用例２の発明と周知技術を適用することにより当業者が容易に発明をすることができたものであるから、特許法第２９条第２項の規定により、特許出願の際独立して特許を受けることができないものである。
　　
　６．むすび
　以上のとおり、本件補正は、平成１８年改正前特許法第１７条の２第５項で準用する特許法第１２６条第５項の規定に違反するものであり、平成１８年改正前特許法第１５９条第１項で読み替えて準用する同法第５３条第１項の規定により却下されるべきものである。
　　　
第３　本願発明について
１．本願の請求項１〜３に係る発明
　本件補正は前記のとおり却下されたので、本願の請求項１〜３に係る発明は、平成１７年１２月２日付け手続補正により補正された明細書及び図面の記載からみて、その特許請求の範囲の請求項１〜３に記載されたとおりの次のものである。
　　
　「【請求項１】　吸込力を発生させるファンモータと、前記吸込力を設定する吸込力設定部と、前記吸込力設定部の設定に応じて前記ファンモータへの通電量を制御する位相制御部と、前記吸込力設定部に直列に接続され前記ファンモータへの通電量を絞り込む位相カット設定部と、前記ファンモータに流れる電流を検出する電流検出部と、リレーコイルとリレー接点を有するリレー部とを備え、前記リレーコイルを電流検出部の出力側に接続して、そのリレー接点のＮＯ接点を位相カット設定部に、ＮＣ接点を吸込入力接点部に接続することにより、集塵室内に塵埃が少ない高風量時にはリレー接点はＮＯ接点に接続されて位相カット設定部により低電力・低吸込力とし、集塵室内に塵埃が多い低風量時には前記リレー接点はＮＣ接点に接続されて吸込力設定部が高電力・高吸込力となるように構成した電気掃除機。
　【請求項２】　吸込力を発生させるファンモータと、前記吸込力を設定する吸込力設定部と、前記吸込力設定部の設定に応じて前記ファンモータへの通電量を制御する位相制御部と、前記吸込力設定部に並列に接続され前記ファンモータへの通電量を絞り込む位相カット設定部と、前記ファンモータに流れる電流を検出する電流検出部と、リレーコイルとリレー接点を有するリレー部とを備え、前記リレーコイルを電流検出部の出力側に接続して、そのリレー接点のＮＯ接点を位相カット設定部に、ＮＣ接点を吸込入力接点部に接続することにより、集塵室内に塵埃が少ない高風量時にはリレー接点はＮＯ接点に接続されて位相カット設定部により低電力・低吸込力とし、集塵室内に塵埃が多い低風量時には前記リレー接点はＮＣ接点に接続されて吸込力設定部が高電力・高吸込力となるように構成した電気掃除機。
　【請求項３】　電流検出部の出力を整流及び平滑する整流平滑部を設け、前記整流平滑部の出力側にリレー部のリレーコイルを接続した請求項１又は２に記載の電気掃除機。」
　　
２．引用例に記載された事項
　原査定の拒絶の理由に引用された引用例及びその記載事項は、前記「第２　２．」に記載したとおりである。
　　
３．引用例に記載された発明
　原査定の拒絶の理由に引用された引用例に記載された発明は、前記「第２　３．」に記載したとおりである。
　　
４．本願の請求項２に係る発明の容易想到性について
　本願の請求項２に係る発明（以下、「本願発明」という。）は、前記「第２　１．」に記載した本件補正発明の「・・・構成し、リレーコイルの感動電圧と開放電圧の電圧差を利用して、高風量から低風量へ移行する場合の風量と低風量から高風量に移行する場合の風量にヒステリシスを持たせたことを特徴とする電気掃除機。」から、リレーにおいて、その作動電圧について構成を限定した「リレーコイルの感動電圧と開放電圧の電圧差を利用して、高風量から低風量へ移行する場合の風量と低風量から高風量に移行する場合の風量にヒステリシスを持たせたことを特徴とする」を削除して「・・・構成した電気掃除機。」とした以外は、同一のものである。
　そうすると、本願発明を限定して減縮した本件補正発明について、前記「第２　４．」及び「第２　５．」に記載したとおり、引用例１、２の発明及び周知技術に基づいて、当業者が容易に発明をすることができたものである以上、本願発明も、同様の理由により、引用例１に記載された発明に、引用例２に記載された発明と周知技術を適用することにより、当業者が容易に発明をすることができたものである。
　
５．まとめ
　以上のとおり、本願発明は、引用例１に記載された発明に、引用例２に記載された発明と周知技術を適用することにより当業者が容易に発明をすることができたものであるから、特許法第２９条第２項の規定により特許を受けることができない。
　　　 
　そうすると、他の請求項に係る発明について検討するまでもなく、本願は、拒絶すべきものである。 
　　　 
　よって、結論のとおり審決する。